(57)【要約】【課題】 金属製の搭載物をパレットで搬送する場合でも、そのパレットに備えられた非接触ＩＣタグを利用して、非接触ＩＣタグリーダで情報の読み取りを行ったり、情報の書込みを行うことができるようにしたパレットを提供する。【解決手段】  パレット本体上の所定箇所に非接触ＩＣタグが備えられた非接触ＩＣタグ付きのパレットであって、前記非接触ＩＣタグを覆う磁性材料より成る被覆体が設けられている。非接触ＩＣタグが、１００ＫＨｚ〜３ＧＨｚの通信周波数で読み取り可能な構造を有している。前記磁性材料が、フェライト、軟磁性体を含有したプラスチック、ゴムのいずれかであり、厚みが０．５〜１０ｍｍである。【選択図】        図1
2007045435.tif 000002
【特許請求の範囲】
【請求項１】
パレット本体上の所定箇所に非接触ＩＣタグが備えられた非接触ＩＣタグ付きのパレットであって、
前記非接触ＩＣタグの上側に、磁性材料より成る被覆体が設けられていることを特徴とするパレット。
【請求項２】
前記磁性材料より成る被覆体が接着剤により接着されていることを特徴とする請求項１記載のパレット。
【請求項３】
前記パレット本体と、前記非接触ＩＣタグと、前記磁性材料より成る被覆体とが一体化された構造を有していることを特徴とする請求項１記載のパレット。
【請求項４】
前記パレット本体が、プラスチックからなることを特徴とする請求項１記載のパレット。
【請求項５】
前記非接触ＩＣタグが、１００ＫＨｚ〜３ＧＨｚの通信周波数で読み取り可能な構造を有していることを特徴とする請求項１記載のパレット。
【請求項６】
前記磁性材料が、温度が２３℃で周波数が１０ＭＨｚにおける初期透磁率が１０〜１００であることを特徴とする請求項１記載のパレット。
【請求項７】
前記磁性材料が、フェライト、軟磁性体を含有したプラスチック、ゴムのいずれかであり、厚みが０．５〜１０ｍｍであることを特徴とする請求項１記載のパレット。
【請求項８】
前記磁性材料の反発弾性率が、２０％未満であることを特徴とする請求項１記載のパレット。
【発明の詳細な説明】
【技術分野】
【０００１】
本発明は、物品を搭載して、当該物品を搬送する際に当該物品と共に搬送されるパレットであって、特にパレットの一部に非接触ＩＣタグが備えられているパレットに関する。
【背景技術】
【０００２】
通常、物品の搬送を行う場合に、物品を搭載して、フォークリフトなどで持ち上げて簡単に運ぶことができるパレットが用いられている。
このようなパレットを利用した物流管理では、パレット単位での管理を行うことができ、またパレットにバーコードを付加させたり、非接触ＩＣタグなどの機械読み取り用の情報媒体を添付させておくことで、効率的に機械処理が行えるようにしてある。
【０００３】
従来技術としては、非接触ＩＣタグである非接触データキャリアが利用された倉庫管理システム（特許文献１参照）や、非接触ＩＣタグが備えられているパレットを利用した物流管理システムや方法（特許文献２参照）などが提案されている。
上記倉庫管理システムでは、パレットに備えられた非接触データキャリアにパレット上に載せられた物品に関する情報を記憶させておき、入出庫路に備えられたリーダライタによって情報の読み出し及び書き込みを行うことで、倉庫内や工場内での各物品の入出庫状態を確認できるようにしてある。
また、上記パレットを利用した物流管理システムや方法では、非接触ＩＣタグを備えたパレットを用いて、その非接触ＩＣタグに対して物品情報を書き込み、また非接触ＩＣタグから物品情報を読み出すことで物流管理を行うものである。
【０００４】
【特許文献１】特開２００２−２２３３１１号公報
【特許文献２】特開２００４−１８２３６４号公報
【０００５】
上記のように、パレットに非接触ＩＣタグを備えることにより、倉庫管理や物流管理を行うことができるが、パレットの搭載物が金属である場合には、パレットに備えられた非接触ＩＣタグ上に金属製の搭載物が置かれることで、非接触ＩＣタグリーダから送信された電波が金属で阻害されて非接触ＩＣタグによる情報の読み取りや書き込みができなくなり、非接触ＩＣタグを利用した情報管理が行えなくなるという問題がある。
【発明の開示】
【発明が解決しようとする課題】
【０００６】
そこで、本発明は、金属製の搭載物をパレットで搬送する場合でも、そのパレットに備えられた非接触ＩＣタグを利用して、非接触ＩＣタグリーダで非接触ＩＣタグから情報の読み取りを行ったり、情報の書込みを行うことができるようにしたパレットを提供する。
【課題を解決するための手段】
【０００７】
本発明のパレットは、パレット本体上の所定箇所に非接触ＩＣタグが備えられた非接触ＩＣタグ付きのパレットであって、前記非接触ＩＣタグの上側に、磁性材料より成る被覆体が設けられていることを特徴とする。
【０００８】
また、本発明のパレットは、前記磁性材料より成る被覆体が接着剤により接着されていることを特徴とする。
【０００９】
更に、本発明のパレットは、前記パレット本体と、前記非接触ＩＣタグと、前記磁性材料より成る被覆体とが一体化された構造を有していることを特徴とする。
【００１０】
また、本発明のパレットは、前記パレット本体が、プラスチックからなることを特徴とする。
【００１１】
更に、本発明のパレットは、前記非接触ＩＣタグが、１００ＫＨｚ〜３ＧＨｚの通信周波数で読み取り可能な構造を有していることを特徴とする。
【００１２】
また、本発明のパレットは、前記磁性材料が、温度が２３℃で周波数が１０ＭＨｚにおける初期透磁率が１０〜１００であることを特徴とする。
【００１３】
更に、本発明のパレットは、前記磁性材料が、フェライト、軟磁性体を含有したプラスチック、ゴムのいずれかであり、厚みが０．５〜１０ｍｍであることを特徴とする。
【００１４】
また、本発明のパレットは、前記磁性材料の反発弾性率が、２０％未満であることを特徴とする。
【発明の効果】
【００１５】
本発明のパレットは、非接触ＩＣタグ上に磁性材料より成る被覆体が設けられているので、電磁界を誘導することができ、非接触ＩＣタグリーダで非接触ＩＣタグから情報の読み取りを行ったり、情報の書き込みを行うことができるという効果がある。
【００１６】
また、本発明のパレットは、磁性材料より成る被覆体が接着剤により接着されているので、金属性の物品を搭載する必要が生じた場合でも、パレット本体に備えられた非接触ＩＣタグ上に、磁性材料より成る被覆体を接着させることで、非接触ＩＣタグリーダで非接触ＩＣタグから情報の読み取りを行ったり、情報の書き込みを行うことができるようにすることができるという効果がある。
【００１７】
また、本発明のパレットは、パレット本体と、非接触ＩＣタグと、磁性材料より成る被覆体とが一体化された構造を有しているので、金属製の物品を搭載してパレットを搬送する場合でも、そのパレットに備えられた非接触ＩＣタグを利用して、非接触ＩＣタグリーダで非接触ＩＣタグから情報の読み取りを行ったり、情報の書込みを行うことができるという効果がある。
【００１８】
また、本発明のパレットは、パレット本体が、プラスチックからなるので、金属製の物品を搭載して搬送する場合でも総重量が軽くなり、パレットに対する負担がかからないという効果がある。
【発明を実施するための最良の形態】
【００１９】
以下、本発明の実施形態に係るパレットについて、図面に基づいて詳細に説明する。
図１は、本発明の第１実施形態に係るパレットの斜視図、図２は、本発明の第１実施形態に係るパレットの積層構成を説明する斜視図、図３は、図１のＡ−Ａ線断面図、図４は、本発明の実施形態に係るパレットに備えられている非接触ＩＣタグの平面図、図５は、本発明の第１実施形態に係るパレットに、金属製の搭載物を搬送した場合の非接触ＩＣタグに対する読み取り方向を説明する斜視図、図６は、本発明の第２実施形態に係るパレットの斜視図、図７は、本発明の第３実施形態に係るパレットの斜視図、図８は、本発明の第２実施形態に係るパレットの部分断面図である。
【００２０】
本発明の実施形態に係るパレット１は、図１に示すように、物品を搭載するためのパレット本体２と、そのパレット本体２上に備えられた非接触ＩＣタグ３と、非接触ＩＣタグ３の上側に設けられた磁性材料より成る被覆体４とにより構成されている。
パレット本体２の内部は、空洞となっており、その空洞部５にフォークリフトの一部を差し込んで、持ち上げられるように構成され、その空洞入口がパレット本体２の両側にそれぞれ設けられている。
したがって、フォークリフトでパレット１を搬送する場合には、２つの空洞入口のどちらか１つを選んで空洞部５にフォークリフトの一部を差し込んでから、搬送することになる。
このパレット本体は、プラスチックからなっている。
【００２１】
また、パレット１は、パレット本体２上の略中央の位置に非接触ＩＣタグ３が備えられている。
この非接触ＩＣタグ３の構成を、図４に基づいて説明する。
非接触ＩＣタグ３は、プラスチック等の基材３１に送受信手段であるコイルパターン３８が形成され、当該コイルと容量素子とにより共振回路を形成して一定周波数の電波を受信し送信することができるように構成されている。
また、他の方式として、リーダライタからの搬送波の電磁誘導により電力伝送及びデータ伝送を行うようにしてもよい。
非接触ＩＣタグ３は、１００ＫＨｚ〜３ＧＨｚの通信周波数で読み取り可能な構造を有している。
【００２２】
図示した例の場合、コイルパターン３８は、導通部材３４により基材３１の裏面でジャンピング回路を形成してコイル接続端子３８ＣによりＩＣチップ３２の裏面のバンプに接続している。
ＩＣチップ３２は、ＣＰＵと、メモリとが備えられている。
【００２３】
図示した例では、容量素子はＩＣチップ３２に内蔵されている。
このような非接触ＩＣタグ３は、樹脂基材にラミネートしたアルミ箔等の金属箔をフォトエッチングやレジスト印刷後のエッチングによりコイルパターンを形成し、ＩＣチップ３２を装着し、保護用の被覆を設けることにより形成することができる。
その大きさも７６ｍｍ×４５ｍｍ程度以下のサイズとすることができる。
【００２４】
非接触ＩＣタグ３に使用する樹脂基材３１としては、ＰＥＴやポリプロピレン、ポリエチレン、ポリスチレン、ナイロン等の各種材料を使用することができ、紙であってもよい。
厚みは１５〜３００μｍが使用できるが、強度、加工作業性、コスト等の点から２０〜１００μｍがより好ましい。
金属箔としては銅箔やアルミ箔あるいは鉄箔を使用できるが、コスト、加工性からアルミ箔が好ましく、その厚みは６〜５０μｍ程度が好ましい。
【００２５】
これらの非接触ＩＣタグ３に記録した情報の読み取りや情報の書き込みは、非接触ＩＣタグリーダライタから非接触ＩＣタグ３に対して共振する呼び出し信号を発信し、数ｃｍから数十ｃｍの距離で非接触ＩＣタグ３からの応答信号を読み、且つ非接触ＩＣタグ３のＩＣチップ３２のメモリに記録された情報を読み取ったり、情報を書き込んだりすることができる。
【００２６】
本発明の実施形態に係るパレット１は、図２に示すように、物品を搭載するためのパレット本体２上に備えられた非接触ＩＣタグ３に対して、その非接触ＩＣタグ３上から磁性材料より成る被覆体４により覆られている状態の構成を有している。
被覆体４の磁性材料は、温度が２３℃で周波数が１０ＭＨｚにおける初期透磁率が１０〜１００である
また、被覆体４の磁性材料は、フェライト、軟磁性体を含有したプラスチック、ゴムのいずれかであり、厚みが０．５〜１０ｍｍである。
また、被覆体４の磁性材料は、反発弾性率が、２０％未満である。
【００２７】
図３に示すように、磁性材料より成る被覆体４は、その裏面に塗布されている接着剤６により、非接触ＩＣタグ３上及びパレット本体２上に接着され、一体化されている。
また、パレット本体２上に、非接触ＩＣタグ３と磁性材料より成る被覆体４とを予め一体化された構造としてパレット１を製造するようにしてもよい。
【００２８】
図４には、金属製の物品７をパレット１で搬送する状態が示されている。
パレット１に金属製の物品７が載置された場合には、非接触ＩＣタグリーダでパレット本体２上に備えられた非接触ＩＣタグ３から情報の読み取りを行う際に、矢印８の方向から電波を受信できるようになっている。
【００２９】
本発明の実施形態に係るパレット１は、上記したように、パレット本体２上の全面を磁性材料より成る被覆体４で覆う構成の他に、図６に示すように、非接触ＩＣタグ３のサイズよりも広いサイズを有する磁性材料より成る被覆体４で覆う構成や、更に、図７に示すように、非接触ＩＣタグ３のサイズと略同じサイズを有する磁性材料より成る被覆体４を重ねる状態の構成としてもよい。
【００３０】
図８には、非接触ＩＣタグ３のサイズよりも広いサイズを有する磁性材料より成る被覆体４で覆う構成とした場合の一部断面図が示されているが、接着剤を設けないでパレット本体２と磁性材料より成る被覆体４との間に非接触ＩＣタグ３を挟んで、熱溶着により一体化させるようにしてもよい。
【図面の簡単な説明】
【００３１】
【図１】本発明の第１実施形態に係るパレットの斜視図である。
【図２】本発明の第１実施形態に係るパレットの積層構成を説明する斜視図である。
【図３】図１のＡ−Ａ線断面図である。
【図４】本発明の実施形態に係るパレットに備えられている非接触ＩＣタグの平面図である。
【図５】本発明の第１実施形態に係るパレットに、金属製の物品を搬送した場合の非接触ＩＣタグに対する読み取り方向を説明する斜視図である。
【図６】本発明の第２実施形態に係るパレットの斜視図である。
【図７】本発明の第３実施形態に係るパレットの斜視図である。
【図８】本発明の第２実施形態に係るパレットの部分断面図である。
【符号の説明】
【００３２】
１  パレット
２  パレット本体
３  非接触ＩＣタグ
４  磁性材料より成る被覆体
５  空洞部
６  接着剤
７  金属製の物品
３１  基材
３２  ＩＣチップ
３４  導通部材
３８  コイルパターン
３８Ｃ  コイル接続端子
【図１】
2007045435.tif 000003
【図２】
2007045435.tif 000004
【図３】
2007045435.tif 000005
【図４】
2007045435.tif 000006
【図５】
2007045435.tif 000007
【図６】
2007045435.tif 000008
【図７】
2007045435.tif 000009
【図８】
2007045435.tif 000010